(57)【特許請求の範囲】
【請求項１】
会計処理前の注文データを格納する保持ファイル、データ処理装置及び呼出しキーを有する入力手段を具備し、ＩＤ及びオーダーナンバーを入力し前記呼出しキーを押すことにより、前記データ処理装置で注文データを前記保持ファイルから検索し呼出し継続処理を再開するように構成されたキャッシュレジスタ装置における注文データ呼出し処理方法において、
ＩＤを入力し前記呼出しキーを押すだけで前記データ処理装置は前記保持ファイルに格納されている前記入力されたＩＤの複数の注文データの中から最も古い注文データを検索し呼出し継続処理することを特徴とするキャッシュレジスタ装置における注文データ呼出し処理方法。
【発明の詳細な説明】
【０００１】
【発明の属する技術分野】
本発明はファ−ストフ−ド店等において複数の店員が共同で使用するキャッシュレジスタ装置における注文データ呼出し処理方法に関するものである。
【０００２】
【従来の技術】
従来、ファ−ストフ−ド店等の飲食店においては複数の店員が客より注文を受け、注文品を揃え、一台のキャッシュレジスタ装置を共同で使用して会計等の処理をする場合が多い。図５は一般のキャッシュレジスタ装置の構成例を示す図である。図示するように、一般のキャッシュレジスタ装置１はＣＰＵ（中央処理装置）１−１、表示器１−２、キ−ボ−ド１−３、メモリ１−４及び伝票出力器１−５を具備する構成である。キ−ボ−ド１−３にはファンクションキ−１−３−１、保持キ−１−３−２及び呼出しキ−１−３−３が設けられている。
【０００３】
図２は注文データ入力処理フロ−を示す図である。同図に従って注文情報入力処理を説明する。店員（操作員）には予め固有のＩＤ（又は固有のファンクションキ−１−３−１）が割り付けられている。店員（操作員）が客より注文を受けキャッシュレジスタ装置１の使用を開始するとき、自分のＩＤ（又は固有のファンクションキ−１−３−１）をキーボード１−３を操作して入力する（ステップＳＴ２１）。表示器１−２にオ−ダ−ナンバーが表示され（ステップＳＴ２２）、店員（操作員）はキ−ボ−ド１−３から注文デ−タ（品名、数量等）を入力する（ステップＳＴ２３）。
【０００４】
店員（操作員）は注文デ−タを入力した後、保持キ−１−３−２を押す（ステップＳＴ２４）。注文デ−タはメモリ１−４に設けられた保持ファイルに格納され（ステップＳＴ２５）、操作はここで中断されキャッシュレジスタ装置１は解放される。続いて店員（操作員）は注文品を揃えて客に提出する。
【０００５】
図４は保持ファイルに保持されたデ−タの例を示す図である。図４の例は最初に店員（操作員）Ａが注文を受け、オーダーナンバー００１２、店員（操作員）ＡのＩＤ、注文データが格納され、次に店員（操作員）Ｂが注文を受け、オーダーナンバー００１３、店員（操作員）ＢのＩＤ、注文データが格納され、続いて店員（操作員）Ｂが注文を受け、オーダーナンバー００１４、店員（操作員）ＢのＩＤ、注文データが格納され、続いて店員（操作員）Ａが注文を受け、オーダーナンバー００１５、店員（操作員）ＡのＩＤ、注文データが格納された場合を示している。
【０００６】
店員（操作員）は注文品を揃え客に渡し、キーボード１−３を操作してＩＤ及びオーダーナンバーを入力、該注文デ−タを呼出し、継続処理を行う。図３は従来の呼出し処理方法のフロ−を示す図である。同図に従って従来の呼出し処理のフロ−を説明する。まず、店員（操作員）はキーボード１−３を操作して自分のＩＤ（又は固有のファンクションキ−１−３−１）を入力する（ステップＳＴ３１）。続いてオ−ダ−ナンバーを入力し（ステップＳＴ３２）、呼出しキ−１−３−３を押すと（ステップＳＴ３３）、保持ファイルから当該ＩＤ及びオーダーナンバーに対応する注文デ−タが呼び出され、会計処理され、伝票出力器１−５より伝票が出力される（ステップＳＴ３４）。そして処理が終了したオ−ダ−ナンバーのデ−タは保持ファイルから削除される。
【０００７】
【発明が解決しようとする課題】
しかしながら、上述したように従来の呼出し操作では、店員（操作員）は自分に固有のＩＤ（又はファンクションキ−１−３−１）を入力し、更に、注文データを注文受付順に処理する場合でもオ−ダ−ナンバ−を入力し、呼出しキ−１−３−３を押下する必要がある。オ−ダ−ナンバ−は注文の度にキャッシュレジスタ装置１から出力される番号であり、呼出し操作の際、入力ミスが起き易い。オ−ダ−ナンバ−を間違えると別の注文デ−タが呼び出されたり、また、ＩＤチェックをしない装置では他の店員（操作員）の注文デ−タを呼び出してしまうと云う問題があった。
【０００８】
本発明は上述の点に鑑みてなされたもので上記問題点を除去し、呼出し操作の際、操作が簡単で使い勝手の良いキャッシュレジスタ装置における注文データ呼出し処理方法を提供することを目的とする。
【０００９】
【課題を解決するための手段】
上記課題を解決するため本発明は会計処理前の注文データを格納する保持ファイル、データ処理装置及び呼出しキーを有する入力手段を具備し、ＩＤ及びオーダーナンバーを入力し前記呼出しキーを押すことにより、データ処理装置で注文データを保持ファイルから検索し呼出し継続処理を再開するように構成されたキャッシュレジスタ装置における注文データ呼出し処理方法において、ＩＤを入力し呼出しキーを押すだけでデータ処理装置は保持ファイルに格納されている入力されたＩＤの複数の注文データの中から最も古い注文データを検索し呼出し継続処理することを特徴とする。
【００１０】
【発明の実施の形態】
以下、本発明の実施の形態例を図面に基づいて詳細に説明する。図１は本発明の注文データ呼出し処理方法のフロ−を示す図である。本注文データ呼出し処理方法を実施するキャッシュレジスタ装置１の構成は図５に示す通りで、注文デ−タ入力処理と保持ファイルは図２及び図４で示し説明したのでここでの説明は省略する。
【００１１】
図１に従って説明する。呼出し操作の際、店員（操作員）は自分のＩＤ（又はファンクションキ−１−３−１）を入力し（ステップＳＴ１１）、呼出しキ−１−３−３を押すと（ステップＳＴ１２）、ＣＰＵ１−１は保持ファイルから自分（ＩＤで分かる）の最も古い注文デ−タを検索し呼び出す（ステップＳＴ１３）。続いて、注文デ−タより会計処理を行い伝票出力器１−５から伝票を出力する（ステップＳＴ１４）。図４に示す保持ファイルに保持されたデ−タで説明すると、操作員Ａが自分のＩＤ（又は固有のファンクションキ−１−３−１）を入力すると、操作員Ａが最も先に入力したオーダーナンバー００１２の注文データが自動的に呼び出され処理される。また、操作員Ｂが自分のＩＤ（又は固有のファンクションキ−１−３−１）を入力すると、操作員Ｂが最も先に入力したオーダーナンバー００１３の注文データが自動的に呼び出され処理される。
【００１２】
以上説明したように本実施形態例によれば、キャッシュレジスタ装置１において呼出し操作の際、自分のＩＤ（又は固有のファンクションキ−１−３−１）を入力し、呼出しキ−１−３−３を押下するだけで最も古い注文デ−タが呼び出されるので、受付順に処理する場合は従来のようにオ−ダ−ナンバーを入力する必要が無くなり誤操作による入力ミスが少なくなる。
【００１３】
なお、ファ−ストフ−ド店等では注文を受付けた順に処理する場合が多くオ−ダ−ナンバーの入力操作を省略することは非常に省力化になるが、受付け順に処理できない場合は、従来のオ−ダ−ナンバーを入力して処理する機能も残してあるので、従来どおりオ−ダ−ナンバーを入力して処理する。
【００１４】
【発明の効果】
以上説明したように本発明によれば、ＩＤを入力し呼出しキーを押すだけでデータ処理装置は保持ファイルに格納されている入力されたＩＤの複数の注文データの中から最も古い注文データを検索し呼出し継続処理するので、受付け順に処理する場合はオーダーナンバーを入力する必要が無くなり、操作が簡略化され誤操作が少なくなり操作効率も向上するという優れた効果が得られる。
【図面の簡単な説明】
【図１】本発明の注文データ呼出し処理方法のフロ−を示す図である。
【図２】注文データ入力処理のフロ−を示す図である。
【図３】従来の注文データ呼出し処理方法のフロ−を示す図である。
【図４】保持ファイルに保持されたデ−タの例を示す図である。
【図５】一般のキャッシュレジスタ装置の構成例を示す図である。
【符号の説明】
１          キャッシュレジスタ装置
１−１      ＣＰＵ（中央処理装置）
１−２      表示器
１−３      キ−ボ−ド
１−３−１  ファンクションキ−
１−３−２  保持キ−
１−３−３  呼出しキ−
１−４      メモリ
１−５      伝票出力器
【図１】
0003920388.tif 000002
【図２】
0003920388.tif 000003
【図３】
0003920388.tif 000004
【図４】
0003920388.tif 000005
【図５】
0003920388.tif 000006